(57)【要約】  本発明は、１以上の実施形態において、かつらベースキャップと、一つ以上の毛髪部材を含むかつらキットであって、前記かつらベースキャップには、一つ以上の第１留め具が備えられ、前記毛髪部材には、第１留め具に対して接着性を有する第２留め具が備えられており、第２留め具が第１留め具に剥離可能に接着することで、前記毛髪部材が前記かつらベースキャップに固定されるかつらキットに関する。これにより、簡便にかつ短時間でかつらを作製することができ、毛髪部材が外れにくいかつらを得ることができるかつらキット及びそれを用いるかつらの作製方法を提供する。
2019012840.tif 000002
【特許請求の範囲】
【請求項１】
かつらベースキャップと、一つ以上の毛髪部材を含むかつらキットであって、
前記かつらベースキャップには、一つ以上の第１留め具が備えられ、前記毛髪部材には、第１留め具に対して接着性を有する第２留め具が備えられており、
第２留め具が第１留め具に剥離可能に接着することで、前記毛髪部材が前記かつらベースキャップに固定されることを特徴とするかつらキット。
【請求項２】
第１留め具及び第２留め具の一方又は両方の表面には、自着性接着剤が配置されており、第２留め具と第１留め具は、自着性接着剤によって接着する請求項１に記載のかつらキット。
【請求項３】
第１留め具及び第２留め具の少なくとも一方はテープ状である請求項１又は２に記載のかつらキット。
【請求項４】
第１留め具は、折り目を有する請求項１〜３のいずれか１項に記載のかつらキット。
【請求項５】
第１留め具の折り目の箇所のみがかつらベースキャップに固定されている請求項１〜４のいずれか１項に記載のかつらキット。
【請求項６】
前記かつらベースキャップと前記毛髪部材の間の剥離強度は、２０〜５０Ｎ/ｃｍである請求項１〜５のいずれか１項に記載のかつらキット。
【請求項７】
前記毛髪部材は、繊維が互いに連結されている根元部分を有する繊維束で構成された蓑毛を含み、前記根元部分に第２留め具が配置されている請求項１〜６のいずれか１項に記載のかつらキット。
【請求項８】
前記毛髪部材は、ベース部分と、前記ベース部分に植毛された繊維で構成されたヘアピースを含み、前記ベース部分の周縁部に第２留め具が配置されている請求項１〜７のいずれか１項に記載のかつらキット。
【請求項９】
第２留め具と第１留め具間の接着強度は、１〜９Ｎ/ｃｍである請求項１〜８のいずれか１項に記載のかつらキット。
【請求項１０】
請求項１〜９のいずれか１項に記載のかつらキットを用いるかつらの作製方法であって、前記かつらキットは、かつらベースキャップと、一つ以上の毛髪部材を含み、前記かつらベースキャップには、一つ以上の第１留め具が備えられ、前記毛髪部材には、第１留め具に対して接着性を有する第２留め具が備えられており、第２留め具を第１留め具に剥離可能に接着させて、前記毛髪部材を前記かつらベースキャップに固定することを特徴とするかつらの作製方法。
【請求項１１】
第１留め具と第２留め具を片面で接着させる請求項１０に記載のかつらの作製方法。
【請求項１２】
第１留め具にて第２留め具を挟むように第１留め具と第２留め具を接着させる請求項１０に記載のかつらの作製方法。
【発明の詳細な説明】
【技術分野】
【０００１】
本発明は、かつらベースキャップと、一つ以上の毛髪部材を含むかつらキット及びそれを用いるかつらの作製方法に関する。
【背景技術】
【０００２】
全頭かつら等の作製には、一般的に、かつらベースキャップに蓑毛状等の毛髪部材を糸で縫いつけたり、編み込んだりして固定する方法が採用される。また、全頭かつら等の作製方法として、かつらベースキャップに直接接着剤を塗布して蓑毛状等の毛髪部材を接着させる方法も行われている。最近では、ボタン状の固定部材を用いてかつらベースキャップに、蓑毛状等の毛髪部材を固定することが提案されている（特許文献１）。
【先行技術文献】
【特許文献】
【０００３】
【特許文献１】米国特許公開２０１６／０１３５５３１号明細書
【発明の概要】
【発明が解決しようとする課題】
【０００４】
しかし、かつらベースキャップに毛髪部材を糸や接着剤で固定する場合は、熟練した技術が必要であるとともに、全頭かつらを作製するのに長時間を要するという問題があった。また、特許文献１に記載のボタン状の固定部材を用いてかつらベースキャップに毛髪部材を固定する場合は、かつらベースキャップから毛髪部材が外れやすい問題があった。【０００５】
本発明は、前記従来の問題を解決するため、簡便にかつ短時間でかつらを作製することができ、毛髪部材が外れにくいかつらを得ることができるかつらキット及びそれを用いるかつらの作製方法を提供する。
【課題を解決するための手段】
【０００６】
本発明は、１以上の実施形態において、かつらベースキャップと、一つ以上の毛髪部材を含むかつらキットであって、前記かつらベースキャップには、一つ以上の第１留め具が備えられ、前記毛髪部材には、第１留め具に対して接着性を有する第２留め具が備えられており、第２留め具が第１留め具に剥離可能に接着することで、前記毛髪部材が前記かつらベースキャップに固定されることを特徴とするかつらキットに関する。【０００７】
本発明の１以上の実施形態において、第１留め具及び第２留め具の一方又は両方の表面には、自着性接着剤が配置されており、第２留め具と第１留め具は、自着性接着剤によって接着することが好ましい。本発明の１以上の実施形態において、第１留め具及び第２留め具の少なくとも一方はテープ状であることが好ましい。【０００８】
本発明の１以上の実施形態において、第１留め具は、折り目を有してもよい。本発明の１以上の実施形態において、第１留め具の折り目の箇所のみがかつらベースキャップに固定されていてもよい。【０００９】
本発明の１以上の実施形態において、前記かつらベースキャップと前記毛髪部材の間の剥離強度は、２０〜５０Ｎ/ｃｍであることが好ましい。本発明の１以上の実施形態において、第２留め具と第１留め具間の接着強度は、１〜９Ｎ/ｃｍであることが好ましい。【００１０】
本発明の１以上の実施形態において、前記毛髪部材は、繊維が互いに連結されている根元部分を有する繊維束で構成された蓑毛を含み、前記根元部分に第２留め具が配置されていてもよい。【００１１】
本発明の１以上の実施形態において、前記毛髪部材は、ベース部分と、前記ベース部分の中央部に植毛された繊維で構成されたヘアピースを含み、前記ベース部分の周縁部に第２留め具が配置されていてもよい。【００１２】
本発明は、１以上の実施形態において、前記のかつらキットを用いるかつらの作製方法であって、前記かつらキットは、かつらベースキャップと、一つ以上の毛髪部材を含み、前記かつらベースキャップには、一つ以上の第１留め具が備えられ、前記毛髪部材には、第１留め具に対して接着性を有する第２留め具が備えられており、第２留め具を第１留め具に剥離可能に接着させて、前記毛髪部材を前記かつらベースキャップに固定することを特徴とするかつらの作製方法に関する。【００１３】
本発明の１以上の実施形態において、第１留め具と第２留め具を片面で接着させてもよい。本発明の１以上の実施形態において、第１留め具にて第２留め具を挟むように第１留め具と第２留め具を接着させてもよい。
【発明の効果】
【００１４】
本発明の１以上の実施形態のかつらキットによれば、簡便にかつ短時間でかつらを作製することができ、毛髪部材が外れにくいかつらを得ることができる。また、本発明の１以上の実施形態のかつらの作製方法によれば、毛髪部材が外れにくいかつらを簡便にかつ短時間でかつらを作製することができる。
【図面の簡単な説明】
【００１５】
【図１】図１は、本発明の１以上の実施形態におけるかつらベースキャップのマネキンヘッドに装着された状態を真上から観察した模式的平面図である。
【図２】図２は、本発明の１以上の実施形態におけるかつらベースキャップのマネキンヘッドに装着された状態を真上から観察した模式的平面図である。
【図３】図３は、本発明の１以上の実施形態におけるかつらベースキャップのマネキンヘッドに装着された状態を真上から観察した模式的平面図である。
【図４】図４は、本発明の１以上の実施形態におけるかつらベースキャップのマネキンヘッドに装着された状態を真上から観察した模式的平面図である。
【図５】図５Ａ〜Ｃは、本発明の１以上の実施形態において、かつらベースキャップにおける第１留め具の配置を説明する模式的側面図である。
【図６】図６は、本発明の１以上の実施形態において用いる１例の蓑毛の模式的説明図である。
【図７】図７は、本発明の１以上の実施形態において、蓑毛における第２留め具の配置を説明する模式的説明図である。
【図８】図８は、本発明の１以上の実施形態において、蓑毛における第２留め具の配置を説明する模式的説明図である。
【図９】図９は、本発明の１以上の実施形態において、蓑毛における第２留め具の配置を説明する模式的説明図である。
【図１０】図１０Ａは、本発明の１以上の実施形態において用いる１例のヘアピースの模式的正面図であり、図１０Ｂは同模式的裏面図である。
【図１１】図１１Ａ〜Ｅは、本発明の１以上の実施形態において、ヘアピースに用いるベース部分の形状を例示した模式的平面図である。
【図１２】図１２Ａ〜Ｂは、本発明の１以上の実施形態において、第１留め具及び第２留め具に用いる留め具用基材の模式的断面図である。
【図１３】図１３Ａは、本発明の１以上の実施形態において、かつらベースキャップの第１留め具の配置位置を説明する模式的背面図であり、図１３Ｂは同模式的側面図であり、図１３Ｃは、同模式的平面図である。
【図１４】図１４Ａ〜Ｂは、本発明の１以上の実施形態において、かつらベースキャップに毛髪部材を固定する方法を説明する模式的側面図である。
【図１５】図１５Ａ〜Ｂは、本発明の１以上の実施形態において、かつらベースキャップに毛髪部材を固定する方法を説明する模式的側面図である。
【図１６】図１６は、本発明の１以上の実施形態において、かつらキットを用いて作製したかつらの模式的側面図である。
【図１７】図１７は、比較例４のかつらキットを用いて作製したかつらの模式的側面図である。
【図１８】図１８はかつらベースキャップと毛髪部材間の剥離強度を測定するのに用いた一例の測定試料を説明する写真である。
【図１９】図１９は第１留め具と第２留め具間の接着強度を測定のに用いた一例の測定試料を説明する写真である。
【発明を実施するための形態】
【００１６】
本発明の発明者は、前記従来の問題を解決するため鋭意検討した。その結果、かつらベースキャップに一つ以上の第１留め具を設けるとともに、前記毛髪部材に第１留め具に対して接着性を有する第２留め具を設け、第２留め具を第１留め具に剥離可能に接着させて、前記毛髪部材を前記かつらベースキャップに固定することで、毛髪部材が外れにくいかつらを簡便にかつ短時間で作製できることを見出し、本発明に至った。
【００１７】
本発明の１以上の実施形態において、かつらキットは、かつらベースキャップと、一つ以上の毛髪部材を含む。かつらベースキャップは、頭部に装着されるキャップ状のものであればよく、特に限定されない。本発明の１以上の実施形態において、かつらベースキャップとして、例えば、人工皮膚ベース（スキンベースとも称される。）を用いてもよい。前記人工皮膚ベースとしては、特に限定されないが、例えば、ポリウレタン樹脂のフィルム又はシートで使用者の頭形に沿ってなだらかに凸状に湾曲して成形されたものを好適に用いることができる。
【００１８】
本発明の１以上の実施形態において、特に限定されないが、通気性を高め、装着時の快適性を高める観点から、少なくとも一部がネット布で構成されたネットベースを用いることが好ましく、全部がネット布で構成されたネットベースを用いることがより好ましい。本発明の１以上の実施形態において、特に限定されないが、前記ネット布は、例えば、網目状に織られた布や貫通孔が形成された布等を用いることができる。前記ネット布の素材は特に限定されるものはなく、例えば、化学繊維や天然繊維等が挙げられる。本発明の１以上の実施形態において、使用者の頭部の形状にフィットしやすい観点から、ネットベースは伸縮性を有することが好ましい。前記ネットベースとしては、例えば、市販のかつら用キャップ等を用いてもよい。
【００１９】
本発明の１以上の実施形態において、特に限定されないが、かつらベースキャップの前頭部を覆う領域には開口部が設けられてもよい。開口部からは自毛を引き出すことができる。或いは、開口部には、後述するような分け目を有する毛髪部材を固定することで、より自然なかつらを得ることができる。
【００２０】
本発明の１以上の実施形態において、毛髪部材に用いる繊維は、特に限定されず、天然繊維、化学繊維などの人工毛髪用繊維を用いることができる。天然繊維としては、例えば、人毛やヤク毛等が挙げられ、化学繊維としては、例えば、ポリエステル系繊維、アクリル系繊維、塩化ビニル繊維、ボリアミド繊維等の合成繊維やコラーゲン繊維等の人工タンパク質繊維等が挙げられる。
【００２１】
本発明の１以上の実施形態において、前記毛髪部材は、繊維が互いに連結されている根元部分を有する繊維束で構成された蓑毛を含んでいてもよい。前記蓑毛（ウエフトとも称される。）は、一般的に、所定の長さの繊維束の一方の端部をかつら用のミシンで縫製して、腰ミノ状に加工したものである。前記蓑毛において、縫製部が根元部分となる。本発明の１以上の実施形態において、第２留め具は通常毛髪部材の一方の端部に設けられ、例えば毛髪部材が蓑毛の場合は、通常、第２留め具は、蓑毛の根元部分に設けられる。
【００２２】
本発明の１以上の実施形態において、前記毛髪部材は、ベース部分と、前記ベース部分の中央部に植毛された繊維で構成されたヘアピースを含んでいてもよい。本発明の１以上の実施形態において、特に限定されないが、通常、第２留め具は、ヘアピースのベース部分の周縁部にに設けられる。本発明の１以上の実施形態において、前記ヘアピースは、分け目を有してもよい。本発明の１以上の実施形態において、分け目を有するヘアピースは、かつらベースキャップの前頭部を覆う領域に固定することが好ましく、かつらベースキャップの前頭部を覆う領域に配置された開口部に固定してもよい。本発明の１以上の実施形態において、前記ヘアピースのベース部分は、特に限定されないが、例えば、かつらベースキャップと同様、人工皮膚ベースを用いてもよく、ネットベースを用いてもよい。
【００２３】
本発明の１以上の実施形態において、前記かつらベースキャップには、一つ以上の第１留め具が備えられ、前記毛髪部材には、第１留め具に対して接着性を有する第２留め具が備えられている。第２留め具が第１留め具に対して接着性を有することで、簡便に第２留め具を第１留め具に剥離可能に接着させることができる。本発明の１以上の実施形態において、「第２留め具が第１留め具に対して接着性を有する」とは、第１留め具と第２留め具が圧力及び/又は熱等の外的処理により剥離可能に接着することを意味する。本発明の１以上の実施形態において、「第２留め具と第１留め具が剥離可能に接着する」とは、第２留め具と第１留め具間の接着強度が９Ｎ/ｃｍ以下であることを意味する。第２留め具と第１留め具間の接着強度は、特に限定されないが、０．５Ｎ/ｃｍ以上であることが好ましく、１Ｎ/ｃｍ以上であることがより好ましい。本発明の１以上の実施形態において、第２留め具と第１留め具間の接着強度は、後述するとおりに測定する。
【００２４】
本発明の１以上の実施形態において、第２留め具と第１留め具が剥離可能に接着することで、一つのかつらキットで様々なデザインのかつらを作製することができる。
【００２５】
本発明の１以上の実施形態において、特に限定されないが、頭部への装着時にフィット性を高める観点から、第１留め具及び第２留め具の少なくとも一方は伸縮性を有することが好ましく、第１留め具及び第２留め具のいずれも伸縮性を有することがより好ましい。
【００２６】
本発明の１以上の実施形態において、特に限定されないが、第１留め具は、テープ状であることが好ましい。本発明の１以上の実施形態において、特に限定されないが、第１留め具の厚さは０．２〜０．６ｍｍであってもよく、０．３〜０．５ｍｍであってもよい。本発明の１以上の実施形態において、特に限定されないが、第１留め具の幅は、かつらベースキャップに毛髪部材として蓑毛を固定する場合は、蓑毛の根元部分の幅より広いことが望ましく、例えば、蓑毛の根元部分の幅の１．５倍以上にしてもよく、２倍以上にしてもよい。
【００２７】
本発明の１以上の実施形態において、かつらベースキャップへの第１留め具の配置方法は特に限定されないが、例えば、作業性の観点から、第１留め具の長さ方向がかつらベースキャップの横方向（頭部の周囲方向）に沿うように配列することが望ましく、隣接する第１留め具の配置位置間の間隔は、第１留め具の幅より大きいことが好ましい。本発明の１以上の実施形態において、かつらベースキャップへの第１留め具の固定方法は、特に限定されないが、例えば、第１留め具が固定箇所以外は動くように固定することが望ましい。本発明の１以上の実施形態において、例えば、第１留め具はかつらベースキャップに縫着されてもよく、第１留め具に折り目を設け、該折り目に沿って第１留め具をかつらベースキャップに縫着してもよい。また、本発明の１以上の実施形態において、特に限定されないが、例えば、第１留め具はかつらベースキャップにボンド等の接着剤で固定されてもよく、第１留め具に折り目を設け、該折り目に沿って第１留め具をかつらベースキャップにボンド等の接着剤で固定してもよい。通気性を高め、装着時の快適性を高めることと第１留め具と第２留め具の剥離を容易にする観点から、第１留め具の折り目の箇所のみがかつらベースキャップに固定されていることが好ましい。
【００２８】
本発明の１以上の実施形態において、特に限定されないが、第２留め具は、テープ状であることが好ましい。本発明の１以上の実施形態において、特に限定されないが、第２留め具の厚さは０．２〜０．６ｍｍであってもよく、０．３〜０．５ｍｍであってもよい。本発明の１以上の実施形態において、特に限定されないが、第２留め具の幅は、毛髪部材が蓑毛の場合は、蓑毛の根元部分の幅より大きいことが望ましく、例えば、蓑毛の根元部分の幅の１．５倍以上にしてもよく、２倍以上にしてもよい。本発明の１以上の実施形態において、特に限定されないが、第２留め具の幅は、毛髪部材がヘアピースの場合は、ヘアピースの周縁部の幅より大きいことが望ましく、例えば、ヘアピースの周縁部の幅の１．５倍以上にしてもよく、２倍以上にしてもよい。或いは、本発明の１以上の実施形態において、特に限定されないが、ヘアピースのベース部分の全体を覆うように第２留め具を設けてもよい。
【００２９】
本発明の１以上の実施形態において、第１留め具の一方又は両方の表面及び第２留め具の一方又は両方の表面には、自着性接着剤が配置されていることが好ましい。自着性接着剤によって、第２留め具と第１留め具は剥離可能に接着することができる。本発明の１以上の実施形態において、「自着性接着剤」とは、同種の接着剤でのみ接着し、他の物質に対しては実質的に接着しない性質を有する接着剤を意味する。第１留め具の一方又は両方の表面及び第２留め具の一方又は両方の表面に自着性接着剤が配置されていることにより、第１留め具及び第２留め具のみ互いに接着性を有することになる。
【００３０】
本発明の１以上の実施形態において、頭部形状へのフィット性を高める観点から、前記自着性接着剤は、固化した後に、柔軟性を有することが好ましい。本発明の１以上の実施形態において、自着性接着剤は、特に限定されないが、例えば、天然ゴム、天然ゴムに不飽和モノマーをグラフト化した天然ゴム誘導体、合成ゴム等からなる群から選ばれる一種以上の接着性成分を含む接着剤組成物を用いることができ、自着性に優れる観点から、天然ゴム及び天然ゴムに不飽和モノマーをグラフト化した天然ゴム誘導体からなる群から選ばれる一種以上の接着性成分を含む接着剤組成物を用いることが好ましい。本発明の１以上の実施形態において、天然ゴムにグラフト化する不飽和モノマーとしては、特に限定されないが、例えばメタクリル酸メチル、スチレン、アクリロニトリル、塩化ビニリデン、無水マレイン酸、アクリルアミド、ビニルピロリドン、ジメチルアクリルアミド、メタクリル酸グリシジル等が挙げられる。これらの中でも、グラフト化反応が確実に進行する観点から、メタクリル酸メチル、スチレン、アクリロニトリルを使用することが一般的である。合成ゴムとしては、例えば、アクリロニトリル−イソプレン共重合体ゴム（ＮＩＲ）、アクリロニトリル−ブタジエン共重合体ゴム（ＮＢＲ）、スチレン−ブタジエン共重合体ゴム（ＳＢＲ）、ブタジエンゴム、イソプレンゴム等が挙げられる。接着成分として、天然ゴム及び／又は天然ゴム誘導体と、合成ゴムを併用してもよく、毛髪部材とかつらベースキャップ間の剥離強度を高める観点から、天然ゴム及び／又は天然ゴム誘導体と、合成ゴムの合計量を１００質量％とした場合、天然ゴム及び／又は天然ゴム誘導体の含有量は３０質量％以上であることが好ましい。前記接着剤組成物は、本発明の効果を阻害しない範囲内で、老化防止剤等の添加剤を適宜含んでも良い。老化防止剤としては、例えば、ヒンダードフェノール系酸化防止剤等の酸化防止剤を用いることができる。ヒンダードフェノール系酸化防止剤としては、例えば、トリエチレングリコール−ビス［３−（３−ｔ−ブチル−５−メチル−４−ヒドロキシフェニル）プロピオネート］、ペンタエリスリチル−テトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５，５］ウンデカン等が挙げられる。本発明の１以上の実施形態において、自着性接着剤は、特に限定されないが、市販のものを用いることができる。例えば、天然ゴム、天然ゴムにメタクリル酸メチルをグラフト重合させた天然ゴム誘導体、合成ゴム等を接着性成分とするムサシケミカル株式会社のコアテックス（登録商標）シリーズのラテックス系接着剤を用いることができる。第１留め具及び第２留め具において、自着性接着剤は固化状態であることが好ましい。
【００３１】
本発明の１以上の実施形態において、特に限定されないが、第１留め具及び第２留め具は、いずれも、伸縮性生地の一方又は両方の表面に自着性接着剤が配置された留め具用基材で構成されてもよく、伸縮性生地に自着性接着剤が含浸された留め具用基材で構成されてもよい。本発明の１以上の実施形態において、特に限定されないが、頭部への装着時のフィット性を高める観点から、前記留め具用基材は、ＪＩＳ  Ｌ  １０９６定速伸長法に準じて測定した、１４．７Ｎ荷重時の長さ方向での伸長率が１３０％以上であることが好ましく、１５０％以上であることがより好ましい。本発明の１以上の実施形態において、特に限定されないが、第１留め具及び第２留め具は、いずれも、自着性接着剤そのもので構成されてもよい。前記伸縮性生地の素材は特に限定されず、例えば、ポリウレタン繊維、ナイロン繊維等を含む生地を用いてもよい。
【００３２】
本発明の１以上の実施形態において、前記自着性接着剤が圧力で接着する感圧性接着剤の場合は、第１留め具と第２留め具を接触させた後、例えば、接触部分を手で押すことで、簡便に第１留め具と第２留め具を剥離可能に接着させることができる。例えば、天然ゴム、天然ゴムに不飽和モノマーをグラフト化した天然ゴム誘導体、合成ゴム等の接着性成分を含む接着剤組成物の内、感圧性接着剤を用いた場合は、第１留め具と第２留め具を接触させた後、接触部分を手で押すことで、第１留め具と第２留め具を剥離可能に接着させることができる。
【００３３】
本発明の１以上の実施形態において、特に限定されないが、例えば、毛髪部材をかつらベースキャップへ強固に固定するとともに、スタイル変更を容易にする観点から、前記かつらベースキャップと前記毛髪部材の間の剥離強度は、２０〜５０Ｎ/ｃｍであることが好ましく、３０〜４０Ｎ/ｃｍであることがより好ましい。本発明の１以上の実施形態において、かつらベースキャップと毛髪部材の間の剥離強度は、後述するとおりに測定する。
【００３４】
以下、図面を用いて本発明の１以上の実施形態のかつらキット及びそれを用いたかつらの作製方法を説明する。しかし、本発明は、下記図面で示したものに限定されない。
【００３５】
図１〜４は、本発明の１以上の実施形態におけるかつらベースキャップのマネキンヘッドに装着された状態を真上から観察した模式的平面図である。図１〜４において、かつらベースキャップ１０は、マネキンヘッド１に装着されており、かつらベースキャップ１０の前頭部を覆う領域には開口部１１が設けられている。開口部１１からは自毛を引き出すことができる。図２に示しているように、開口部１１の淵には、部分的に第１留め具１２を配置してもよい。図３に示しているように、開口部１１の淵の全体を覆うように、第１留め具１３を配置してもよい。図４に示しているように、開口部１１の全体を覆うように第１留め具１４を配置してもよい。第１留め具１２、１３及び１４は、自着性接着剤を塗布して固化させることで形成してもよく、一方又は両方の表面に自着性接着剤が配置されたテープ状の伸縮性生地で構成されてもよく、自着性接着剤が含浸されたテープ状の伸縮性生地で形成してもよい。
【００３６】
図５Ａ〜Ｃは、本発明の１以上の実施形態において、かつらベースキャップにおける第１留め具の配置を説明する模式的側面図である。図５Ａに示されているように、該実施形態において、第１留め具１５は、その幅方向の中心線に沿った折り目２１を有しており、第１留め具１５を折り目２１に沿ってかつらベースキャップ１０の所定の位置に縫い付けられている。図５Ｂに示されているように、該実施形態において、第１留め具１６は、その幅方向の一方の端部に近い部分に折り目２２を有しており、第１留め具１６を折り目２２に沿って、幅が広い部分が上側になるようにかつらベースキャップ１０の所定の位置に縫い付けられている。図５Ｃに示されているように、該実施形態において、第１留め具１７は、その幅方向の他方の端部に近い部分に折り目２３を有しており、第１留め具１７を折り目２３に沿って、幅が広い部分が下側になるようにかつらベースキャップ１０の所定の位置に縫い付けられている。
【００３７】
図６は、本発明の１以上の実施形態において用いる１例の蓑毛の模式的説明図である。図６に示されているように、蓑毛３０は、所定の長さの繊維束３１の一方の端部をかつら用のミシンで縫製した、腰ミノ状の毛髪部材であり、縫製部が根元部分３２となる。
【００３８】
図７〜９は、本発明の１以上の実施形態において、蓑毛における第２留め具の配置を説明する模式的説明図である。図７に示されているように、該実施形態においては、蓑毛３０の根元部分に自着性接着剤を直接塗布して固化させて形成したテープ状の第２留め具４０が設けられている。図８に示されているように、該実施形態においては、蓑毛３０の根元部分３２を覆うようにして留め具用基材で構成されたテープ状の第２留め具５０が縫い付けられている。図８において、２４は縫製線である。図９に示されているように、該実施形態においては、蓑毛３０の根元部分３２の片面と接するように留め具用基材で構成されたテープ状の第２留め具５０が縫い付けられている。図９において、２５は縫製線である。
【００３９】
図１０Ａは、本発明の１以上の実施形態において用いる１例のヘアピースの模式的正面図であり、図１０Ｂは同模式的裏面図である。図１０Ａ〜Ｂに示されているように、これらの実施形態のヘアピース６０は、ベース部分６２と、ベース部分６２に植毛された繊維６１で構成されており、ベース部分６２の周縁部に第２留め部６３が設けられ、分け目６４を有する。
【００４０】
図１１Ａ〜Ｅは、本発明の１以上の実施形態において、ヘアピースに用いるベース部分の形状を例示した模式的平面図である。本発明の１以上の実施形態において、ヘアピースに用いるベース部分の形状はこれらに限定されない。
【００４１】
図１２は、本発明の１以上の実施形態において、第１留め具及び第２留め具に用いる留め具用基材の模式的断面図である。図１２Ａに示されているように、留め具用基材７０は、伸縮性生地７１と、伸縮性生地７１の両方の表面に配置されている自着性接着剤７２、７３で構成されている。本発明の１以上の実施形態において、留め具用基材は、伸縮性生地と、伸縮性生地の一方の表面に配置されている自着性接着剤で構成されていてもよい。図１２Ｂに示されているように、留め具用基材８０は、伸縮性生地８１と、伸縮性生地８１の両方の表面に配置されている自着性接着剤８２、８３と、自着性接着剤８２、８３のそれぞれの表面に配置されている保護層８４、８５で構成されている。保護層８４、８５の素材及び厚み等は、特に限定されず、適宜調整すればよい。本発明の１以上の実施形態において、保護層８４、８５の素材としては、例えば、ストレッチフィルム等を用いてもよい。本発明の１以上の実施形態において、保護層８４、８５の厚みは、例えば、１０μｍ〜３０μｍであってもよい。本発明の１以上の実施形態において、留め具用基材において、自着性接着剤は、伸縮性生地に含浸されてもよい。
【００４２】
図１３Ａは、本発明の１以上の実施形態において、かつらベースキャップの第１留め具の配置位置を説明する模式的背面図であり、図１３Ｂは同模式的側面図であり、図１３Ｃは、同模式的平面図である。図１３Ａ〜１３Ｃに示されているように、これらの実施形態において、かつらベースキャップ１００には、横方向（頭部の周囲方向）に沿うように第１留め具を配置するガイド線１０１が描かれている。
【００４３】
図１４Ａ〜Ｂは、本発明の１以上の実施形態において、かつらベースキャップに毛髪部材を固定する方法を説明する模式的側面図である。図１４Ａ〜Ｂに示されているように、該実施形態において、かつらベースキャップ１００のガイド線１０１に沿って、第１留め具１０２の幅方向の中心線に位置する折り目１０３がかつらベースキャップ１００に縫着されており、毛髪部材（蓑毛）２００の根元部分の片面に接するように留め具用基材で構成された第２留め具２０１が毛髪部材（蓑毛）２００に縫い付けられている（縫製線２０２）。かつらベースキャップ１００に備えられた第１留め具１０２で、毛髪部材（蓑毛）２００に設けられた第２留め具２０１を覆うようにして手で押して剥離可能に接着させることで、かつらベースキャップ１００に毛髪部材（蓑毛）２００を固定する。図示はないが、かつらベースキャップ１００のガイド線に沿って配置された複数の第１留め具と、毛髪部材に設けられた第２留め具と剥離可能に接着させて、かつらベースキャップに複数の毛髪部材を固定することで、かつらを作製することができる。本発明の１以上の実施形態において、かつらベースキャップの頭頂部を覆う領域には、開口部を設けて自毛を引き出すようにしてもよく、前記開口部に第１留め具を配置し、開口部の第１留め具と、ヘアピースに設けられた第２留め具に剥離可能に接着させて、ヘアピースをかつらベースキャップの頭頂部を覆う領域に固定してもよい。
【００４４】
図１５Ａ〜Ｂは、本発明の１以上の実施形態において、かつらベースキャップに毛髪部材を固定する方法を説明する模式的側面図である。図１５Ａ〜Ｂに示されているように、該実施形態において、かつらベースキャップ１００のガイド線１０１に沿って、第１留め具１０２の幅方向の一方の端部に近いところに位置する折り目１０４がかつらベースキャップ１００に縫着されており、毛髪部材（蓑毛）２００の根元部分の片面に接するように留め具用基材で構成された第２留め具２０１が毛髪部材（蓑毛）２００に縫い付けられている。かつらベースキャップ１００に備えられた第１留め具１０２と、毛髪部材（蓑毛）２００に設けられた第２留め具２０１の片面を接触させた後に手で押して剥離可能に接着させることで、かつらベースキャップ１００に毛髪部材（蓑毛）２００を固定する。図示はないが、かつらベースキャップ１００のガイド線に沿って配置された複数の第１留め具と、毛髪部材に設けられた第２留め具と剥離可能に接着させて、かつらベースキャップに複数の毛髪部材を固定することで、かつらを作製することができる。本発明の１以上の実施形態において、かつらベースキャップの頭頂部を覆う領域には、開口部を設けて自毛を引き出すようにしてもよく、前記開口部に第１留め具を配置し、開口部の第１留め具と、ヘアピースに設けられた第２留め具に剥離可能に接着させて、ヘアピースをかつらベースキャップの頭頂部を覆う領域に固定してもよい。
【００４５】
図１６は、本発明の１以上の実施形態において、かつらキットを用いて作製したかつらの模式的側面図である。該実施形態において、かつらベースキャップの頭頂部を覆う領域以外には、蓑毛が固定されてかつら３００を構成している。かつら３００を装着する場合は、かつらベースキャップの頭頂部を覆う領域に設けた開口部から自毛を引き出すようにしてもよく、開口部に第１留め具が配置されている場合には、開口部の第１留め具に、ヘアピースに設けられた第２留め具を剥離可能に接着させて、ヘアピースをかつらベースキャップの頭頂部を覆う領域に固定してもよい。
【００４６】
図１８は、かつらベースキャップと毛髪部材間の剥離強度を測定するのに用いた一例の測定試料を説明する写真である。具体的には、図１８Ａは、かつらベースキャップと毛髪部材の固定箇所が縦方向の中心になるようにし、かつらベースキャップ部分を縦方向の長さが４ｃｍ、横方向の長さが２ｃｍになるようにカットし、毛髪部材（蓑毛）は、根元からの繊維の長さが３ｃｍになるようにカットした一例の測定サンプルの写真である。図１８Ｂは、同測定サンプルにおいて、かつらベースキャップを二つ折りし、端から１ｃｍのところを下側の取り付け側治具に固定し、蓑毛の根元から１ｃｍの部分を上側の取り付け側治具に固定した状態を説明する写真である。
【００４７】
図１９は第１留め具と第２留め具間の接着強度を測定のに用いた一例の測定試料を説明する写真である。具体的には、図１９Ａは、かつらベースキャップと毛髪部材の固定箇所が縦方向の中心になるようにし、かつらベースキャップ部分を縦方向の長さが４ｃｍ、横方向の長さが３ｃｍになるようにカットした試料Iの写真である。図１９Ｂ〜Ｃは、試料Iから、第１留め具と第２留め具の接着部分のみを切り出す状態を説明する写真である。図１９Ｄは、試料Iから、第１留め具と第２留め具の接着部分のみを切り出し、得られた所定の縦方向の長さを有し、横方向の長さが３ｃｍである試料IIの写真である。図１９Ｅは、試料IIにおいて、第１留め具と第２留め具を横方向の一方の端部から２ｃｍまで剥がして得られた試料IIIの写真である。図１９Ｆは、試料IIIにおいて、剥がれている第１留め具の端から１ｃｍのところを上側の取り付け治具に固定し、剥がれている第２留め具の端から１ｃｍのところを下側の取り付け治具に固定した状態を説明する写真である。
【実施例】
【００４８】
以下実施例を示し本発明の１以上の実施態様を説明する。但し、本発明はこれらに限定されるものではない。【００４９】
（実施例１）
ポリエステル系繊維（カネカ社製「Ｆｕｔｕｒａ」）を用い、図６に示すように蓑毛３０を作製し、図９に示すように蓑毛３０の根元部分３２に留め具用基材で構成されたテープ状第２留め具５０を縫いつけて毛髪部材を得た。具体的には、前記留め具用基材は、伸縮性生地（モリクロス社製「パワーネット」、ポリウレタン８３質量％／ナイロン１７質量％、厚み０．３１〜０．３３ｍｍ）に、自着性接着剤として天然ゴム系自着性接着剤（ムサシノケミカル社製「コアテックス（登録商標）ＡＤ−６０」；天然ゴム約６０重量％の天然ゴムラテックス）を厚みが０．３３〜０．３５ｍｍになるように均一に塗布し、室温で４時間乾燥させて作製した。前記留め具用基材のＪＩＳ  Ｌ  １０９６定速伸長法に準じて測定した、１４．７Ｎ荷重時の長さ方向の伸長率は約１４０％であった。前記留め具用基材を、長さ４５ｃｍ、幅１.５ｃｍにカットして、テープ状の第２留め具５０とした。蓑毛３０への縫いつけは、テープ状の第２留め具５０の幅５ｍｍ部分と蓑毛３０の根元部分の中心線を、図９に示すよう縫いつけて第２留め具を備えた毛髪部材を作製した。【００５０】
次に、かつらベースキャップとして編み目が細かいかつらベースキャップ（Dream World社製「Deluxe WIG CAP」）を使用し、図１３に示すように、マネキンヘッド（クラッセ社製「加工専用マネキンヘッド」）１にかつらベースキャップ１００を被せ、かつらベースキャップ１００に第１留め具を配置するためのガイド線１０１を描いた。ガイド線は、具体的には、下記のように描いた。かつらベースキャップのフロンの中央（鼻から垂直に上がった部分）からネープ部分の中央まで真っ直ぐに第１線を引き、第１線（中央線）にネープ部分から２ｃｍ部分に点をうち、そこを中心に半径２ｃｍの円を描く様にコンパスで第２線を引いた。第２線を基準に２ｃｍ間隔で第３線から第７線までを描いた。続いて、フロン側の第１線を中心に左右３．５ｃｍの場所に点をうち、その点から７ｃｍ頭頂部に向かって真っ直ぐに線を引いた。そこから３．５ｃｍ横に点をうち、その点を中心にコンパスで半径３．５ｃｍの線を引き、トンネルの形状の様な第８線を引いた。その第８線を基準に２ｃｍ間隔で３本の線を描き、かつらベースキャップにテープ状留め具を固定するガイド線を合計１１本引いた。留め具用基材としては、上述したのと同様のものを用いた。前記留め具用基材を、長さ４５ｃｍ、幅２ｃｍにカットして、幅の中心線に沿って折り目を付けてテープ状の第１留め具１０２を作製した。図１４Ａに示すように、かつらベースキャップ１００の１１本のガイド線１０１に沿って、テープ状の第１留め具１０２の折り目の箇所を縫い付けて、第１留め具を備えたかつらベースキャップを作製した。第１留め具の長さ方向がガイド線に沿うようになる。【００５１】
次に、図１４Ａ〜Ｂに示されているように、かつらベースキャップ１００の第１留め具１０２の下側に、蓑毛２００の第２留め具２０１の片面を接触させて、手で押して剥離可能に接着させた。その後、さらに、第１留め具１０２の上側を折り、蓑毛２００の第２留め具２０１の他方の面と接触させて、手で押して剥離可能に接着させた。第１留め具１０２が、第２留め具２０１を覆うようになっている。かつらベースキャップの設けられた１１本の第１留め具１０２のそれぞれと、１１本の蓑毛２００の第２留め具を剥離可能に接着させて、かつらベースキャップ１００に蓑毛２００を固定させて、図１６に示すようなかつら３００を得た。【００５２】
（実施例２）
実施例１と同様にして、第２留め具が設けられた蓑毛を作製した。かつらベースキャップとして、実施例１と同様のかつらベースキャップを使用した。実施例１と同様の留め具用基材を長さ４５ｃｍ、幅１.５ｃｍにカットし、一方の端から５ｍｍ幅離れた箇所に長さ方向に沿って折り目を付けてテープ状の第１留め具を作製した。かつらベースキャップに第１留め具を配置するガイド線は、実施例１と同様に描き、図１５Ａに示されているように、そのガイド線１０１に沿って第１留め具１０２の折り目１０４の箇所を幅が広い部分が下側になるように縫いつけて、第１留め具を備えたかつらベースキャップを作製した。次に、図１５Ａ〜Ｂに示されているように、かつらベースキャップ１００の第１留め具１０２の下側に、蓑毛２００の第２留め具２０１の片面を接触させて、手で押して剥離可能に接着させた以外は、実施例１と同様にして、図１６に示すようなかつら３００を得た。【００５３】
（実施例３）
かつらベースキャップとし、実施例１で用いたかつらベースキャップより編み目が粗いかつらベースキャップ（Annie International社製「Ｍｅｓｈ  ＷＥＡＶＩＮＧ  ＣＡＰ  ＃４４７２」）を使用した以外は、実施例１と同様にして、図１６に示すようなかつら３００を得た。【００５４】
（実施例４）
かつらベースキャップとし、実施例２で用いたかつらベースキャップより編み目が粗いかつらベースキャップ（Annie International社製「Ｍｅｓｈ  ＷＥＡＶＩＮＧ  ＣＡＰ  ＃４４７２」）を使用した以外は、実施例２と同様にして、図１６に示すようなかつら３００を得た。【００５５】
（実施例５）
伸縮性生地（モリクロス社製「パワーネット」、ポリウレタン８３質量％／ナイロン１７質量％、厚み０．３１〜０．３３ｍｍ）に、厚みが０．３７ｍｍ〜０．３９ｍｍになるようにに均一に自着性接着剤を塗った以外は、実施例１と同様ににして、図１６に示すようなかつら３００を得た。【００５６】
（実施例６）
伸縮性生地（モリクロス社製「パワーネット」、ポリウレタン８３質量％／ナイロン１７質量％、厚み０．３１〜０．３３ｍｍ）に、厚みが０．３７ｍｍ〜０．３９ｍｍになるように均一に自着性接着剤を塗った以外は、実施例２と同様ににして、図１６に示すようなかつら３００を得た。【００５７】
（実施例７）
自着性接着剤として、合成イソプレン系接着剤（ムサシノケミカル社製「コアテックス（登録商標）ＩＲ−６０」、合成イソプレンゴム約６０重量％のイソプレンゴムラテックス）を使用した以外は、実施例１と同様の方法で作製した。【００５８】
（実施例８）
自着性接着剤として、天然ゴム系接着剤（ムサシノケミカル社製「天然ゴム接着剤：コアテックスＡＤ−６０」）３０重量％と合成イソプレン系接着剤（ムサシノケミカル社製「コアテックス（登録商標）ＩＲ−６０」）７０重量％を混合したものを使用した以外は、実施例１と同様の方法で作製した。【００５９】
（実施例９）
自着性接着剤として、天然ゴム系接着剤（ムサシノケミカル社製「天然ゴム接着剤：コアテックスＡＤ−６０」）５０重量％と合成イソプレン系接着剤（ムサシノケミカル社製「コアテックス（登録商標）ＩＲ−６０」）５０重量％を混合したものを使用した以外は、実施例１と同様の方法で作製した。【００６０】
（比較例１）
ポリエステル系繊維（カネカ社製「Ｆｕｔｕｒａ」）を用い、図６に示すように蓑毛３０を作製した。かつらベースキャップとして実施例１と同様のかつらベースキャップを使用し、実施例１の方法と同じ様に蓑毛を縫い付けるためのガイド線を描いた。次に、かつらベースキャップに描いたガイド線に沿って、蓑毛の根元を市販のＷｅａｖｉｎｇ縫い付け糸（Ａｎｎｉｅ  International社製「Ｐｒｅｍｉｕｍ  Ｗｅａｖｉｎｇ  Ｓｅｔ」）を用いて縫いつけて、かつらを作製した。【００６１】
（比較例２）
ポリエステル系繊維（カネカ社製「Ｆｕｔｕｒａ」）を用い、図６に示すように蓑毛３０を作製した。かつらベースキャップとして実施例１と同様のかつらベースキャップを使用し、実施例１の方法と同じ様に蓑毛を縫い付けるためのガイド線を描いた。次に、かつらベースキャップに描いたガイド線に沿って、蓑毛の根元を市販のＷｅａｖｉｎｇボンド（Universal Beauty Products社製「SALON PRO 30 SECOND SUPER HAIR BOND GLUE」）で固定し、かつらを作製した。【００６２】
（比較例３）
Ｗｅａｖｉｎｇボンド（Universal Beauty Products社製「SALON PRO HAIR BOND GLUE」）を使用した以外は、比較例２と同様にしてかつらを作製した。【００６３】
（比較例４）
ポリエステル系繊維（カネカ社製「Ｆｕｔｕｒａ」）を用い、図６に示すように蓑毛３０を作製した。かつらベースキャップとして実施例３と同様のかつらベースキャップを使用し、実施例１の方法と同じ様に蓑毛を縫い付けるためのガイド線を描いた。次に、かつらベースキャップに描いたガイド線に沿って、蓑毛の根元を市販のＷｅａｖｉｎｇボンド（Universal Beauty Products社製「SALON PRO 30 SECOND SUPER HAIR BOND GLUE」）で固定し、かつらを作製した。【００６４】
（比較例５）
市販されている商品（Snap Weave「Virgin Brazilian Hair 4B Curl Collection U-Part Cap Included」）を使用した。図１７に示されているように、かつらベースキャップのボタン状の固定部４０１に毛髪部材のボタン状の固定部４０２を固定し、かつら４００を作製した。【００６５】
実施例及び比較例のかつらにおけるかつらベースキャップと毛髪部材間の剥離強度を下記のように測定し、その結果を下記表１に示した。また、実施例のかつらにおける第１留め具と第２留め具間の接着強度を下記のように測定し、その結果を下記表１に示した。また、実施例及び比較例のかつらにおけるかつらの作製時間を下記のように測定評価し、その結果を下記表１に示した。実施例１〜９のかつらにおけるスタイル変更容易性をかつらベースキャップと毛髪部材間の剥がし易さで評価し、下記表１に示した。【００６６】
（かつらベースキャップと毛髪部材間の剥離強度）
＜測定条件＞
小型卓上試験装置（日本電産シンポ社製「ＦＧＳ−１０００ＴＶ−ＦＧＰ−５」）を使用し、下記試験条件にてかつらベースキャップと毛髪部材が剥がれる時の最大荷重（N）を測定した。
試験条件は、下記のとおりであった。
試験種類：剥離試験
試験速度：７００mm/min
動作方向：PULL
試料取り付け治具：上（フォースゲージ取り付け側）＝ＧＣ−２−５
下（スタンド取り付け側）＝ＧＴ−３０−１
＜測定方法＞
（１）ランダムに５箇所を選択し、かつらベースキャップと毛髪部材の固定箇所が縦方向の中心になるようにし、かつらベースキャップ部分を縦方向の長さが４ｃｍ、横方向の長さが２ｃｍになるようにカットし、毛髪部材（蓑毛）は、根元からの繊維の長さが３ｃｍになるようにカットして、測定サンプルとして用いた。
（２）測定サンプルにおいて、かつらベースキャップを縦方向の中心で二つ折りし、端から１ｃｍのところを下側の取り付け側治具に固定した。
（３）蓑毛の根元から１ｃｍの部分を上側の取り付け側治具に固定した。
（４）上述した測定条件にて測定を実施した。
＜剥離強度＞
下記式に基づいて、上記のように測定した最大荷重（Ｎ）をかつらベースキャップと毛髪部材の固定部分間の幅（横方向の長さに対応する）で割った値を剥離強度（Ｎ/ｃｍ）とし、５箇所の平均値をかつらベースキャップと毛髪部材間の剥離強度とした。
かつらベースキャップと毛髪部材間の剥離強度（Ｎ／ｃｍ）＝最大荷重（Ｎ）÷２ｃｍ【００６７】
（第１留め具と第２留め具間の接着強度）
＜測定条件＞
測定条件はかつらベースキャップと毛髪部材間の剥離強度の測定条件と同一であった。
＜測定方法＞
（１）ランダムに５箇所を選択し、かつらベースキャップと毛髪部材の固定箇所が縦方向の中心になるようにし、かつらベースキャップ部分を縦方向の長さが４ｃｍ、横方向の長さが３ｃｍになるようにカットし、試料Ｉとした。
（２）試料Iから、第１留め具と第２留め具の接着部分のみを切り出し、縦方向の長さが１ｃｍ、横方向の長さが３ｃｍの試料IIを得た。
（３）試料IIにおいて、第１留め具と第２留め具を横方向の一方の端部から２ｃｍまで剥がして、試料IIIを得た。
（４）試料IIIにおいて、剥がれている第１留め具の端から１ｃｍのところを上側の取り付け治具に固定した。
（５）試料IIIにおいて、剥がれている第２留め具の端から１ｃｍのところを下側の取り付け治具に固定した。
（６）上述した測定条件にて測定を実施した。
＜接着強度＞
下記式に基づいて、上記のように測定した最大荷重（Ｎ）を第２留め具と第１留め具間の接着部分の幅（縦方向の長さに相当する）で割ることで接着強度（Ｎ/ｃｍ）を算出し、５箇所の平均値を第１留め具と第２留め具間の接着強度の接着強度とした。
第１留め具と第２留め具間の接着強度（Ｎ／ｃｍ）＝最大荷重（Ｎ）÷１ｃｍ【００６８】
（かつらの作製時間）
実施例１〜９では、第１留め具を設置済みのかつらベースキャップをマネキンヘッドに装着させた後、第２留め具を有する毛髪部材（蓑毛）を用い、かつらベースキャップの全ての第１留め具に蓑毛の第２留め具をを剥離可能に接着させて、かつらが完成するまでの時間を測定した。比較例１〜４では、かつらベースキャップをマネキンヘッドに装着させた後、ガイド線を描く時からかつらが完成するまでの時間を測定した。比較例５では、かつらベースキャップをマネキンヘッドに装着させた後、かつらベースキャップのボタン状の固定部に毛髪部材のボタン状の固定部を固定し、かつらが完成するまでの時間を測定した。実施例１〜６及び比較例１〜５はいずれもそれぞれ５回作製して、その平均値をかつら作製時間とした。なお、毎回の作製時間の測定結果の場合は秒はすべて切り捨てた。【００６９】
（スタイル変更容易性）
実施例１〜９のかつらの作製時間を測定後、かつらベースキャップの全ての第１留め具から蓑毛の第２留め具の取り外す時間（以下において、毛髪部材の剥がし時間と記す。）を測定した。毛髪部材の剥がし時間を４回測定し、その平均値に基づいて下記の基準でスタイル変更容易性を評価した。
１：取り外しに掛かった時間が３０分以上であり、スタイル変更容易性がやや劣る。
２：取り外しに掛かった時間が２０分以上３０分未満であり、スタイル変更容易性が良好である。
３：取り外しに掛かった時間が２０分未満であり、スタイル変更容易性がかなり良好である。【００７０】
【表１】
2019012840.tif 000003
【００７１】
前記表１の結果から分かるように、実施例のかつらキットを用いた場合、簡便にかつ短時間でかつらを作製することができ、毛髪部材が外れにくいかつらを得ることができた。
【符号の説明】
【００７２】
１  マネキンヘッド
１０、１００  かつらベースキャップ
１１  開口部
１２、１３、１４、１５、１６、１７、１０２  第１留め具
２１、２２、２３、１０３、１０４  折り目
２４、２５、２０２  縫製線
３０、２００  蓑毛
３１  繊維束
３２  根元部分
４０、５０、６３、２０１  第２留め具
６０  ヘアピース
６１  植毛された繊維
６２  ベース部分
６４  分け目
７０、８０  留め具用基材
７１、８１  伸縮性生地
７２、７３、８２、８３  自着性接着剤
８４、８５  保護層
１０１  ガイド線
３００、４００  かつら
４０１、４０２  ボタン状の固定部
【図１】
2019012840.tif 000004
【図２】
2019012840.tif 000005
【図３】
2019012840.tif 000006
【図４】
2019012840.tif 000007
【図５】
2019012840.tif 000008
【図６】
2019012840.tif 000009
【図７】
2019012840.tif 000010
【図８】
2019012840.tif 000011
【図９】
2019012840.tif 000012
【図１０】
2019012840.tif 000013
【図１１】
2019012840.tif 000014
【図１２】
2019012840.tif 000015
【図１３】
2019012840.tif 000016
【図１４】
2019012840.tif 000017
【図１５】
2019012840.tif 000018
【図１６】
2019012840.tif 000019
【図１７】
2019012840.tif 000020
【図１８】
2019012840.tif 000021
【図１９】
2019012840.tif 000022
【国際調査報告】
2019012840.tif 000023
2019012840.tif 000024
2019012840.tif 000025
2019012840.tif 000026